(57)【要約】【課題】  変倍のための駆動機構が簡単で、光学系の全長が短く、温度変動時に発生するデフォーカス量を最小限に抑えることが可能である、変倍式望遠光学系及びこれを備える光学装置を提供する。【解決手段】  第１の光軸を有した屈折面を含む屈折光学系Ｇ１と、第１の光軸と並列配置された第２の光軸を有した反射面を含む反射光学系Ｇ２と、屈折光学系Ｇ１の後方に配置され、第１の光軸を第２の光軸に向けて屈曲させる折り曲げミラーＭ１と、反射光学系Ｇ２の後方で、前記屈曲された光軸ともう一方の光軸との交点Ｐ上に配置され、屈折光学系Ｇ１からの光のみを後方の光路に向ける第１の状態と、反射光学系Ｇ２からの光のみを後方の光路に向ける第２の状態とを選択的に取り得る光路切り換えミラーＭ２とを備え、屈折光学系Ｇ１には、屈折率の温度依存係数dn/dTが負である硝材を用いたレンズが含まれ、反射光学系Ｇ２では、線膨脹係数αが負である材料を用いた連結部材Ｓ１により、前記反射面を構成する主鏡Ｍ３と副鏡Ｍ４とが繋がれている。【選択図】  図１
2010262163.tif 000002
【特許請求の範囲】
【請求項１】
第１の光軸を有した屈折面を含む屈折光学系と、
前記第１の光軸と並列配置された第２の光軸を有した反射面を含む反射光学系と、
前記屈折光学系もしくは前記反射光学系の後方に配置され、前記第１の光軸もしくは前記第２の光軸をもう一方の光軸に向けて屈曲させる反射部材と、
前記屈折光学系もしくは前記反射光学系の後方で、前記屈曲された光軸と、もう一方の光軸との交点上に配置され、前記屈折光学系からの光のみを後方の光路に向ける第１の状態と、前記反射光学系からの光のみを後方の光路に向ける第２の状態とを選択的に取り得る光路変換部材とを備え、
前記屈折光学系には、屈折率の温度依存係数dn/dTが負である硝材を用いたレンズが含まれ、
前記反射光学系では、線膨脹係数が負である材料を用いた連結部材により、前記反射面を構成する主鏡と副鏡とが繋がれていることを特徴とする変倍式望遠光学系。
【請求項２】
前記屈折率の温度依存係数dn/dTが負である硝材を用いたレンズは、正レンズであることを特徴とする請求項１に記載の変倍式望遠光学系。
【請求項３】
前記光路変換部材よりも像側に、焦点位置補正機能を有する補正レンズを備えることを特徴とする請求項１又は２に記載の変倍式望遠光学系。
【請求項４】
前記補正レンズは、負のメニスカスレンズであることを特徴とする請求項３に記載の変倍式望遠光学系。
【請求項５】
前記光路変換部材より像側に、バリエータレンズと、コンペンセータレンズとを備えることを特徴とする請求項１〜４のいずれか一項に記載の変倍式望遠光学系。
【請求項６】
前記連結部材に用いた前記線膨脹係数が負である材料は、逆ペロフスカイト構造のマンガン窒化物であることを特徴とする請求項１〜５のいずれか一項に記載の変倍式望遠光学系。
【請求項７】
請求項１〜６のいずれか一項に記載の変倍式望遠光学系を備えることを特徴とする光学装置。
【発明の詳細な説明】
【技術分野】
【０００１】
本発明は、変倍式望遠光学系及びこれを備える光学装置に関するものである。
【背景技術】
【０００２】
近年、デジタルカメラやテレビカメラなどに使用する望遠光学系において、変倍のための機構が簡単で、全長が短く、広い波長域にて良好な結像性能を有するものが望まれている。
【０００３】
例えば、レンズの変倍方式として、レンズ光路切換方式（例えば、特許文献１を参照）を採用することにより、例えばミラーなど、光学系を構成する一つの光学素子を移動させるという簡単な構成で変倍切り換えができるとともに、変倍のために光学系を繰り出す必要がないため、光学系全長を短くすることができる。
【０００４】
しかしながら、長焦点距離化を進めつつ、特許文献１の技術をそのまま適用しようとすると、次のような問題が生じていた。まず、焦点距離が長いレンズを利用するため、レンズの色収差による色にじみが、撮影された画像に出てしまうおそれがあった。また、光学系の長焦点距離化に伴い、（上記変倍方式を採用しても）光学系全長が長くなってしまうおそれがあった。
【０００５】
こうした問題点に対処するために、反射光学系を利用するという方法がある。反射光学系は、原理的に色収差の発生がなく、かつ光学系全体の小型化を図りながら長焦点距離を得易いという長所がある。しかしながら、撮影画角の増大を図ることが難しく、また光束を往復して使用するために光軸近傍の光束がケラレてしまい、光学系全体の実質的な明るさが低下してしまうという短所がある。
【０００６】
そこで、レンズ光路切換方式を採用しつつ、望遠用光学系として屈折光学系を、より長い焦点距離を有する超望遠用光学系として反射光学系を採用するという案が考えられる。
【先行技術文献】
【特許文献】
【０００７】
【特許文献１】特開平４−３９６７号公報
【発明の概要】
【発明が解決しようとする課題】
【０００８】
上記のような望遠用光学系を構成するレンズには、広い波長域で発生する色収差を除去するため、凸レンズに、螢石やＥＤ（Extra-low  Dispersion）ガラス等の異常分散性を有する硝材が用いられることが多い。しかしながら、異常分散性を有する硝材は、屈折率の温度依存係数dn/dTが負であることが多く、かつその絶対値も他の一般的な硝材のものと比較して大きい。したがって、こうした硝材を用いた凸レンズは、温度上昇時に焦点距離を大幅にのばすという働きを持つ。
【０００９】
逆に、異常分散性を持たない一般の硝材は、屈折率の温度依存係数dn/dTが正であることが多い。しかしながら、こうした硝材は、上記のような望遠用光学系において凹レンズに用いられることが多いため、先の場合と同様に、温度上昇時に望遠光学系の焦点距離をのばす働きを持つ。
【００１０】
すなわち、従来の望遠用光学系では、温度上昇に伴い、凸レンズと凹レンズの両方が焦点距離の増大に寄与して、大きな焦点距離変動を生じる。そのため、反射系の超望遠と屈折系の望遠を切り換えると、大きなデフォーカス（合焦ずれ）が発生するおそれがあった。
【００１１】
それに対して、超望遠用光学系に利用される、カセグレン光学系のような主鏡が凹面で、副鏡が凸面である反射光学系では、主鏡と副鏡が共に極低膨脹部材で作成されている場合、温度上昇に伴い、焦点距離が短くなるという特徴を持つ。
【００１２】
したがって、望遠用光学系として屈折光学系を、超望遠用光学系として反射光学系を備えた変倍式望遠光学系において、特許文献１のようなレンズ光路切換方式を採用しようとすると、温度変動時に、大きなデフォーカスずれを生じるおそれがある。
【００１３】
本発明は、このような問題に鑑みてなされたものであり、変倍のための駆動機構が簡単で、光学系の全長が短く、温度変動時に発生するデフォーカス量を最小限に抑えることが可能である、変倍式望遠光学系及びこれを備える光学装置を提供することを目的とする。
【課題を解決するための手段】
【００１４】
このような目的を達成するため、本発明を例示する第一の態様に従えば、第１の光軸を有した屈折面を含む屈折光学系と、前記第１の光軸と並列配置された第２の光軸を有した反射面を含む反射光学系と、前記屈折光学系もしくは前記反射光学系の後方に配置され、前記第１の光軸もしくは前記第２の光軸をもう一方の光軸に向けて屈曲させる反射部材と、前記屈折光学系もしくは前記反射光学系の後方で、前記屈曲された光軸と、もう一方の光軸との交点上に配置され、前記屈折光学系からの光のみを後方の光路に向ける第１の状態と、前記反射光学系からの光のみを後方の光路に向ける第２の状態とを選択的に取り得る光路変換部材とを備え、前記屈折光学系には、屈折率の温度依存係数dn/dTが負である硝材を用いたレンズが含まれ、前記反射光学系では、線膨脹係数が負である材料を用いた連結部材により、前記反射面を構成する主鏡と副鏡とが繋がれていることを特徴とする変倍式望遠光学系が提供される。
【００１５】
また、本発明を例示する第二の態様に従えば、第一の態様の変倍式望遠光学系を備えることを特徴とする光学装置が提供される。
【発明の効果】
【００１６】
本発明の変倍式望遠光学系及びこれを備える光学装置によれば、変倍のための駆動機構が簡単で、光学系の全長が短く、温度変動時に発生するデフォーカス量を最小限に抑えることが可能である。
【図面の簡単な説明】
【００１７】
【図１】本実施形態に係る変倍式望遠光学系の構成を概略的に示す図である。
【図２】屈折光学系の縦の球面収差と軸上色収差を示す図である。
【図３】反射光学系の縦の球面収差と軸上色収差を示す図である。
【図４】上記変倍式望遠光学系を備える光学装置（カメラ）の構成を概略的に示す図である。
【図５】本実施形態に係る変倍式望遠光学系の他の構成を概略的に示す図である。
【図６】屈折光学系を使用した時におけるズーム概略図である。
【図７】反射光学系を使用した時におけるズーム概略図である。
【発明を実施するための形態】
【００１８】
以下、本発明の実施形態について、図面を用いて説明する。なお、光路は光軸に代表させて説明する。図１は、本実施形態に係る変倍式望遠光学系の構成を概略的に示す図である。本実施形態に係る変倍式望遠光学系は、図１に示すように、焦点距離の異なる、望遠用の光学系である屈折光学系Ｇ１と、超望遠用の光学系である反射光学系Ｇ２とを有し、それぞれの光軸がほぼ平行となるように並列配置し、これら二つの光路を切り換えて使用することにより、変倍を行うように構成されている。
【００１９】
屈折光学系Ｇ１と反射光学系Ｇ２との間には、折り返しミラーＭ１と、光路切り換えミラーＭ２とが設けられている。
【００２０】
折り返しミラーＭ１は、屈折光学系Ｇ１の後方に配置され、屈折光学系Ｇ１を通過した光路Ａを反射光学系Ｇ２の光軸に向けて屈曲させるために、反射面を反射光学系Ｇ２側に向けて傾斜させている。
【００２１】
光路切り換えミラーＭ２は、折り返しミラーＭ１によって屈曲された光路Ａ´と、反射光学系Ｇ２の光軸と一致させるため、反射光学系Ｇ２の後方に、具体的には光路Ａ´と光学系Ｇ２を通過した光路Ｂとの交点Ｐ上に、反射面が折り返しミラーＭ１の反射面と対向するように設けられている。なお、光路切り換えミラーＭ２は、ミラー駆動装置Ｍ２ｍにより光路Ａ´に沿って上下方向に移動可能であり、屈折光学系Ｇ１からの光のみを後方の光路に向ける第１の状態（図１中の実線で示す位置）と、反射光学系Ｇ２からの光のみを後方の光路に向ける第２の状態（図１中の点線で示す位置）とを選択的に取り得る。
【００２２】
したがって、本実施形態における望遠光学系では、図１中の実線で示すように、光路切り換えミラーＭ２が反射光学系Ｇ２の光路内にある場合、屈折光学系Ｇ１により得られる結像光束は、折り返しミラーＭ１で反射され、光路Ａ´を通り、光路切り換えミラーＭ２で反射され、該ミラーＭ２の後方で光路Ｂの延長上に設けられた像面Ｉにて物体像を形成する。この際、反射光学系Ｇ２によって得られる像は、光路切り換えミラーＭ２によって妨げられ、像面Ｉに導くことができないようになっている。
【００２３】
また、図１中の点線で示すように、ミラー駆動装置Ｍ２ｍを駆動して、光路切り換えミラーＭ２を移動させ、反射光学系Ｇ２の光路Ｂ外に退出させた場合、反射光学系Ｇ２を通った光束は、屈折光学系Ｇ１と同様に、像面Ｉにて物体像を形成する。この際、屈折光学系Ｇ１によって得られる像は、光路切り換えミラーＭ２によって妨げられ、像面Ｉに導くことができないようになっている。
【００２４】
以上のように、本実施形態においては、本光学系を構成する光学素子の一つである光路切り換えミラーＭ２を光路Ａ´に沿って上下方向に移動させるという簡単な構成で変倍切り換えができる。
【００２５】
屈折光学系Ｇ１について説明する。本実施形態に係る屈折光学系Ｇ１は、図１に示すように、物体側から順に並んだ、正レンズＬ１と、負レンズＬ２と、正レンズＬ３と、折り返しミラーＭ１と、光路切り換えミラーＭ２と、補正レンズＬ４とを有し、焦点距離が長い、望遠結像機能を持つ。
【００２６】
こうした焦点距離が長い望遠結像機能を持つ屈折光学系は、一般に大きな色収差を持つ。しかしながら、本実施形態においては、屈折光学系Ｇ１を構成する正レンズＬ１，Ｌ３の硝材として、屈折率の温度依存係数dn/dTが負であるＥＤガラス（オハラ社製のS-FPL51）を用いることにより、図２に示すように、軸上色収差を小さく抑えている。
【００２７】
表１に屈折光学系Ｇ１を構成するレンズＬ１〜Ｌ３が、環境温度２０℃の状態にある場合の光学系データを、表２に屈折光学系Ｇ１を構成するレンズＬ１〜Ｌ３が、環境温度４０℃の状態にある場合の光学系データを示す。
【００２８】
なお、表中の［全体諸元］において、ｆは全系の焦点距離を、ＦはＦ値を、ωは画角を示す。また、［レンズデータ］において、面番号は光線の進行する方向に沿った物体側からのレンズ面の順序を、ｒは各レンズ面の曲率半径［単位mm］を、ｄは各光学面から次の光学面（又は像面）までの光軸上の距離である面間隔［単位mm］を、ｎｄはｄ線（波長587.6nm）に対する屈折率と硝材名を示す。また、空気の屈折率「1.000000」の記載は省略している（以上、表の説明は、表４、表５、表６及び表７についても同様である）。
【００２９】
（表１）
屈折光学系Ｇ１を構成するレンズＬ１〜Ｌ３が環境温度２０℃の状態にある場合の光学系データ
［全体諸元］
ｆ＝750.0017mm、Ｆ／10、ω＝1.97°
［レンズデータ］
面番号          ｒ            ｄ          ｎｄ(硝材名)
1（入射瞳面）  536.6950      15.0000      1.496999(S-FPL51)      L1
2          -156.6481      8.0000
3          -144.3743      10.0000      1.516330(S-BSL7)      L2
4          228.5594        9.0000
5          199.8953      15.0000      1.496999(S-FPL51)      L3
6          -1082.4363    718.9946（＝近軸像面位置）
【００３０】
（表２）
屈折光学系Ｇ１を構成するレンズＬ１〜Ｌ３が環境温度４０℃の状態にある場合の光学系データ
［全体諸元］
ｆ＝751.8754mm、Ｆ／10、ω＝1.97°
［レンズデータ］
面番号          ｒ            ｄ            ｎｄ(硝材名)
1（入射瞳面）  536.8356      15.0039      1.496875(S-FPL51)      L1
2          -156.6891      7.9986
3          -144.3951      10.0014      1.516384(S-BSL7)      L2
4          228.5923        8.9961
5          199.9477      15.0039      1.496875(S-FPL51)      L3
6          -1082.7198    720.7989（＝近軸像面位置）
【００３１】
表１及び表２の光学系データを算出するにあたり、使用したデータ（レンズＬ１〜Ｌ３の線膨脹係数α及び屈折率の温度依存係数dn/dt）を表３に示す。また、空気間隔の変化に関しては、レンズ鏡筒は極低膨張部材で構成されており、レンズＬ１〜Ｌ３は、それぞれ像側レンズ面の側部が、胴付面、押え環がない状態で、レンズ鏡筒に接着・保持されているものと考えて、数値を計算した。
【００３２】
（表３）
硝材名          線膨張係数[K-1]    温度依存係数dn/dT[K-1]
S-FPL51          13.1×10-6            -6.2×10-6            L1,L3
S-BSL7            7.2×10-6            2.7×10-6              L2
【００３３】
表１と表２の光学系データを基に近軸光線追跡を行うと、屈折光学系Ｇ１を構成するレンズＬ１〜Ｌ３において、環境温度が２０℃から４０℃に変化すると、レンズＬ１〜Ｌ３からなる光学系の焦点距離が1.8737mm長くなり、レンズＬ１〜Ｌ３からなる光学系の近軸像面位置が1.8543mm像側へ移動（＝ΔＢＦ）することが分かる。
【００３４】
続いて、反射光学系Ｇ２について説明する。反射光学系Ｇ２は、図１に示すように、光路順に並んだ、主鏡Ｍ３と、副鏡Ｍ４と、補正レンズＬ４とを有し、焦点距離が極めて長い、超望遠結像機能を持つ。
【００３５】
反射光学系Ｇ２の全長は副鏡Ｍ４の裏面から像面まで736mmであり、反射光学系Ｇ２の焦点距離である3302mmに対して1/4以下に抑えられている。また、反射光学系Ｇ２は、上記のように焦点距離が極めて長い超望遠結像機能を持つ光学系であるが、主鏡Ｍ３と副鏡Ｍ４が光束を集光させる大半のパワーを有しているので、図３に示すように、原理的に色収差をほとんど生じない。
【００３６】
なお、主鏡Ｍ３と副鏡Ｍ４は極低膨張部材で、主鏡Ｍ３、副鏡Ｍ４及び補正レンズＬ４を保持するレンズ鏡筒は極低膨張部材でそれぞれ構成されている。また、本実施形態においては、温度変動時に生じるデフォーカス量を屈折光学系Ｇ１と反射光学系Ｇ２で同じ値とするために、主鏡Ｍ３と副鏡Ｍ４との間を負の線膨張係数αを持つ連結部材Ｓ１で繋いでいる。その線膨張係数αの値は、以下のようにして求めることができる。
【００３７】
一般に、超望遠光学系に利用されるカセグレン光学系のような、主鏡が凹面、副鏡が凸面となっている反射光学系について、主鏡と副鏡との間隔をｄとした場合、近軸計算の結果により、以下の（１）式が成立する。
【００３８】
ｄ＝｛−Ｂ＋（Ｂ2−４Ｃ）(1/2)｝／２    …（１）
【００３９】
但し、Ｂ及びＣは、Ｒ1、Ｒ2をそれぞれ主鏡、副鏡の曲率半径（Ｒ1＜０，Ｒ2＜０）とし、ＢＦを主鏡の反射面から近軸像面までの距離（ＢＦ＞０）としたとき、以下の（２）式及び（３）式で示される。
【００４０】
Ｂ＝（Ｒ1／２）＋ＢＦ−Ｒ2    …（２）
Ｃ＝（Ｒ1−Ｒ2）×ＢＦ／２−（Ｒ1Ｒ2／４）    …（３）
【００４１】
したがって、本実施形態のように、温度変動時に主鏡Ｍ３と副鏡Ｍ４との間隔をｄからｄ´へと変化させて近軸像面位置を調整する場合には、目標とする主鏡Ｍ３の反射面から近軸像面までの距離ＢＦ´を（２）式と（３）式にそれぞれ代入し、定数Ｂ´とＣ´を求める。そして、この定数Ｂ´とＣ´を（１）式に代入し、温度変動後の主鏡Ｍ３と副鏡Ｍ４との距離ｄ´を求める。なお、温度変化をΔＴとすると、距離ｄとｄ´との間には下記の（４）式の関係式が成立している。よって、（４）式に、ｄとｄ´を代入することで、主鏡Ｍ３と副鏡Ｍ４との間を繋ぐ連結部材Ｓ１の線膨張係数αを求めることができる。
【００４２】
ｄ´＝ｄ（１＋αΔＴ）    …（４）
【００４３】
本実施形態に係る線膨張係数αを具体的に求める。表４に反射光学系Ｇ２を構成する主鏡Ｍ３と副鏡Ｍ４が環境温度２０℃の状態にある場合の光学系データを示す。
【００４４】
表中、非球面については、光軸に垂直な方向の高さをｙとし、非球面の頂点における接平面から高さｙにおける非球面上の位置までの光軸に沿った距離（サグ量）をｚとし、頂点曲率基準球面の曲率半径（近軸曲率半径）をｒとし、円錐係数をκとしたとき、その形状を以下の（５）式で示している（以上、表の説明は、表４、表５及び表７についても同様である）。
【００４５】
ｚ＝（ｙ2／ｒ）／［１＋｛１−（κ＋１）ｙ2／ｒ2｝1/2］  …（５）
【００４６】
（表４）
反射光学系Ｇ２を構成する主鏡Ｍ３と副鏡Ｍ４が環境温度２０℃の状態にある場合
［全体諸元］
ｆ＝3000.0000mm、Ｆ／10、ω＝0.49°
［レンズデータ］
面番号            ｒ          ｄ            円錐係数κ    ｎｄ(硝材名)
1（入射瞳面）  -1200.0000    -460.0000        -1.0481        (反射)          M3
2          -350.0000    460.0000（＝ｄ）  -2.6586        (反射)          M4
3                        240.0000(＝ＢＦ)
【００４７】
先に述べたように、環境温度が２０℃から４０℃に変化すると、屈折光学系Ｇ１を構成するレンズＬ１〜Ｌ３からなる光学系の近軸像面位置がΔＢＦ＝1.8543mm像側へ移動するので、目標とする反射光学系Ｇ２の主鏡Ｍ３の反射面から近軸像面までの距離はＢＦ´＝ＢＦ＋ΔＢＦ＝240+1.8543＝241.8543mmとなる。このＢＦ´の値と、主鏡Ｍ３の曲率半径Ｒ1＝-1200mmと、副鏡Ｍ４の曲率半径Ｒ2＝-350mmを用いて、（１）式〜（３）式から、温度変動後の主鏡Ｍ３と副鏡Ｍ４との距離ｄ´＝459.9288mmを求めることができる。したがって、連結部材Ｓ１の線膨張係数αは、（４）式に、先のｄ´＝459.9288mmと、ｄ＝460.0000mmと、ΔＴ＝20Ｋとを代入することにより、α＝-7.737×10-6Ｋ-1と求まる。
【００４８】
このように、本実施形態においては線膨張係数が負であり、比較的その絶対値が大きな（〜10-5Ｋ-1）物質が必要となる。従来は、こうした大きな負の線膨張係数を持ち、かつ大型反射鏡を保持できるような大きな機械的強度を持つ物質は存在しなかった。しかしながら、近年「逆ペロフスカイト」という構造を持つマンガンの窒化物で、その構成元素の亜鉛やガリウム、銅の一部をゲルマニウム元素に置き換えた物質が、-3×10-6〜-25×10-6Ｋ-1という比較的大きな負の線膨張係数を示し、その上大きな機械的強度を持つことが報告されている。こうした物質を主鏡Ｍ３と副鏡Ｍ４とを繋ぐ連結部材Ｓ１に採用することにより、本実施形態は実現可能となった。
【００４９】
表５に、先に求めた線膨脹係数α（＝-7.737×10-6Ｋ-1）を持つ連結部材Ｓ１で繋がれた主鏡Ｍ３と副鏡Ｍ４が、環境温度４０℃の状態にある場合の光学系データを示す。
【００５０】
（表５）
反射光学系Ｇ２を構成する主鏡Ｍ３と副鏡Ｍ４が、負の線膨脹係数を持つ連結部材Ｓ１で繋がれ、環境温度４０℃の状態にある場合の光学系データ
［全体諸元］
ｆ＝3006.1136mm、Ｆ／10、ω＝0.49°
［レンズデータ］
面番号            ｒ          ｄ        円錐係数κ    ｎｄ(硝材名)
1（入射瞳面）  -1200.0000    -459.9288    -1.0481        (反射)          M3
2          -350.0000      459.9288    -2.6586        (反射)          M4
3                        241.8543
【００５１】
表４と表５の光学系データを基に近軸光線追跡を行うと、反射光学系Ｇ２を構成する主鏡Ｍ３と副鏡Ｍ４において、環境温度が２０℃から４０℃に変化すると、主鏡Ｍ３と副鏡Ｍ４からなる光学系の焦点距離が6.1136mm長くなり、主鏡Ｍ３と副鏡Ｍ４からなる光学系の近軸像面位置が1.8543mm像側へ移動することが分かる。
【００５２】
以上より、反射光学系Ｇ２が温度変動時に生じるデフォーカス量は、屈折光学系Ｇ１が温度変動時に生じるデフォーカス量と等しくなり（共に1.8543mm像側へ移動）、温度変動時に屈折光学系Ｇ１と反射光学系Ｇ２との切り換えを行っても、デフォーカスが問題となることはないと考えられる。
【００５３】
しかしながら、屈折光学系Ｇ１の近軸像面位置、つまり反射光学系Ｇ２の近軸像面位置でもある場所に撮像素子を配置して撮像を行う場合、温度変動時に屈折光学系Ｇ１と反射光学系Ｇ２で等しいデフォーカスを生じてしまう。これを補正するために、本実施形態では、光路切り換えミラーＭ２と像面Ｉとの間に配置した補正レンズＬ４を、光軸に沿って平行に移動させている。表６と表８に、環境温度が２０℃の際の補正レンズＬ４を含む屈折光学系Ｇ１及び反射光学系Ｇ２の光学系データを示し、表７と表９に、環境温度が２０℃から４０℃に変化した際に、補正レンズＬ４を光軸に沿って平行に像面側へ移動させて近軸像面位置を補正した、屈折光学系Ｇ１及び反射光学系Ｇ２の光学系データを示す。
【００５４】
（表６）
屈折光学系Ｇ１を構成するレンズＬ１〜Ｌ４が環境温度２０℃の状態にある場合の光学系データ
［全体諸元］
ｆ＝825.5588mm、Ｆ／11、ω＝1.97°
［レンズデータ］
面番号          ｒ            ｄ          ｎｄ(硝材名)
1（入射瞳面）  536.6950      15.0000      1.496999(S-FPL51)      L1
2          -156.6481      8.0000
3          -144.3743      10.0000      1.516330(S-BSL7)      L2
4          228.5594      9.0000
5          199.8953      15.0000      1.496999(S-FPL51)      L3
6        -1082.4363      680.1810
7          -31.6505      10.0000      1.516330(S-BSL7)      L4
8          -34.6918      40.0000
【００５５】
（表７）
環境温度が２０℃から４０℃に変化した際に、補正レンズＬ４によって近軸像面位置が補正された屈折光学系Ｇ１の光学系データ
［全体諸元］
ｆ＝828.9804mm、Ｆ／11、ω＝1.97°
［レンズデータ］
面番号          ｒ            ｄ          ｎｄ(硝材名)
1（入射瞳面）  536.8356      15.0039      1.496875(S-FPL51)      L1
2          -156.6891      7.9986
3          -144.3951      10.0014      1.516384(S-BSL7)      L2
4          228.5923        8.9961
5          199.9477      15.0039      1.496875(S-FPL51)      L3
6        -1082.7198      690.7209
7          -31.6550      10.0014      1.516384(S-BSL7)      L4
8          -34.6968      29.4586
【００５６】
（表８）
反射光学系Ｇ２を構成する主鏡Ｍ３、副鏡Ｍ４と補正レンズＬ４が環境温度２０℃の状態にある場合の光学系データ
［全体諸元］
ｆ＝3302.2278mm、Ｆ／11、ω＝0.49°
［レンズデータ］
面番号            ｒ          ｄ          円錐係数κ    ｎｄ(硝材名)
1（入射瞳面）  -1200.0000    -460.0000      -1.0481        (反射)          M3
2          -350.0000      460.0000      -2.6586        (反射)          M4
3                          201.2364
4            -31.6505      10.0000                  1.516330(S-BSL7)  L4
5            -34.6918      40.0000
【００５７】
（表９）
環境温度が２０℃から４０℃に変化した際に、補正レンズＬ４によって近軸像面位置が補正された反射光学系Ｇ２の光学系データ
［全体諸元］
ｆ＝3314.3914mm、Ｆ／11、ω＝0.49°
［レンズデータ］
面番号            ｒ          ｄ          円錐係数κ    ｎｄ(硝材名)
1（入射瞳面）  -1200.0000    -459.9288      -1.0481        (反射)          M3
2          -350.0000      459.9288      -2.6586        (反射)          M4
3                          211.7763
4            -31.6550      10.0014                  1.516384(S-BSL7)  L4
5            -34.6968      29.4586
【００５８】
先に述べたように、環境温度が２０℃から４０℃に変化した際の屈折光学系Ｇ１と反射光学系Ｇ２で発生するデフォーカス量は等しいので、表６〜表９から分かるように、補正レンズＬ４の移動量は屈折光学系Ｇ１と反射光学系Ｇ２の双方において等しい値(10.5414mm)となっている。
【００５９】
なお、本実施形態において、補正レンズＬ４は、１枚の負メニスカスレンズで構成されていることが望ましい。このような構成により、像面湾曲を補正することができる。
【００６０】
図４に、本実施形態に係る望遠光学系、すなわち上述の屈折光学系Ｇ１及び反射光学系Ｇ２を備えた光学装置の例として、カメラＣＡＭの構成を示す。このカメラＣＡＭは、ミラー駆動装置Ｍ２ｍを駆動して、切り換えミラーＭ２を光路Ａ´に沿って移動させ、屈折光学系Ｇ１もしくは反射光学系Ｇ２のどちらかを選択する。続いて、選択された光学系によって不図示の被写体からの光が集光され、像面Ｉに配置された撮像素子（例えば、ＣＣＤやＣＭＯＳ等）に結像される。このとき、カメラＣＡＭでは、レンズ駆動装置Ｌ４ｍを駆動して、補正レンズＬ４を光軸に沿って平行に移動させ、温度変動時に発生するデフォーカス量を最小限に抑えることができる。
【００６１】
図５に、屈折光学系Ｇ１と反射光学系Ｇ２の構成は（補正レンズＬ４は除いて）上記構成と同じであるが（図１参照）、像面Ｉを中間結像面Ｉ´とし、この中間結像面Ｉ´の後方に、フォーカシングレンズ群Ｇ３、バリエータレンズ群Ｇ４、コンペンセータレンズ群Ｇ５を配置した例を示す。
【００６２】
これらフォーカシングレンズ群Ｇ３、バリエータレンズ群Ｇ４、コンペンセータレンズ群Ｇ５は、ズーム機能を持つリレー系を構成しており、その倍率は０．５〜２倍となっている。したがって、屈折光学系Ｇ１及びレンズ群Ｇ３，Ｇ４，Ｇ５からなる光学系と、反射光学系Ｇ２及びレンズ群Ｇ３，Ｇ４，Ｇ５からなる光学系は、それぞれ４倍のズーム比を持つズームレンズを構成することになる。また、屈折光学系Ｇ１と反射光学系Ｇ２の焦点距離が４倍異なるため、リレー系のズームと、屈折光学系Ｇ１と反射光学系Ｇ２の切り換えを組み合わせることにより、焦点距離を375mmから6000mmまで１６倍可変可能な変倍式望遠光学系を構成していることにもなる。
【００６３】
なお、フォーカシング群Ｇ３は近距離撮影時のフォーカシングに使用するレンズ群であり、かつ、温度変動時のデフォーカスを補正するためのレンズ群でもある。そのため、図１に示す例のように、補正レンズＬ４はなくても構わない。
【００６４】
また、バリエータレンズ群Ｇ４とコンペンセータレンズ群Ｇ５は、ズーミングに用いるレンズ群であり、ズーミング時には図６，図７に示すように光軸に沿って移動させる。
【００６５】
本実施例においては、屈折光学系Ｇ１の光軸を、折り返しミラーＭ１と光路切り換えミラーＭ２によって、反射光学系Ｇ２の光軸と一致させているので、図５に示すように、中間結像面Ｉ´より後方のレンズ群Ｇ３，Ｇ４，Ｇ５を共通化することが可能となっている。したがって、機構がシンプルとなり、装置全体のコストも抑えることも可能である。また、光学系全長（すなわち反射光学系Ｇ２の副鏡Ｍ４裏面から像面Ｉまで）は2485mmであり、最大焦点距離の6000mmに対して半分以下に抑えることができる。また、上記したように、温度変動時に発生するデフォーカス量は屈折光学系Ｇ１と反射光学系Ｇ２の両方において等しいので、温度変動時に屈折光学系Ｇ１と反射光学系Ｇ２とを切り換えてもデフォーカスずれが発生することは極めて少ない。
【００６６】
以上のように、本実施形態に係る変倍式望遠光学系及びこれを備える光学装置によれば、変倍のための駆動機構が簡単で、光学系の全長が短く、温度変動時に変倍しても発生するデフォーカスを最小限に抑えることが可能である。
【００６７】
なお、本発明を分かりやすくするために、実施形態の構成要件を付して説明したが、本発明がこれに限定されるものではないことは言うまでもない。
【符号の説明】
【００６８】
Ｇ１  屈折光学系
Ｇ２  反射光学系
Ｇ３  フォーカシングレンズ群
Ｇ４  バリエータレンズ群
Ｇ５  コンペンセータレンズ群
Ｌ１〜Ｌ３  屈折光学系の構成レンズ
Ｌ４  補正レンズ
Ｍ１  折り返しミラー（反射部材）
Ｍ２  光路切り換えミラー（光路変換部材）
Ｍ３  主鏡
Ｍ４  副鏡
ＣＡＭ  カメラ（光学装置）
Ｉ    像面
Ｉ´  中間結像面
【図１】
2010262163.tif 000003
【図２】
2010262163.tif 000004
【図３】
2010262163.tif 000005
【図４】
2010262163.tif 000006
【図５】
2010262163.tif 000007
【図６】
2010262163.tif 000008
【図７】
2010262163.tif 000009